(57)【要約】      （修正有）【課題】より少数の通気層確保部材の取り付けで通気層をより容易に形成できるとともに、取り付け部のピッチや屋根勾配などに応じて長さを調整することができる汎用的な通気層確保部材を提供する。【解決手段】通気層確保部材１は、垂木の下面でかつ母屋間に張設されるシート材２であって、シート材２の上下にはそれぞれ幅方向に延在したアジャスタ線３が少なくとも１本形成されている。このため、より少数の通気層確保部材の取り付けで通気層をより容易に形成できるとともに、取り付け部のピッチや屋根勾配などに応じて長さを調整することができる汎用的な通気層確保部材が構成される。【選択図】図１
0003185688.tif 000002
【実用新案登録請求の範囲】
【請求項１】
垂木の下面でかつ母屋間に張設されるシート材であって、該シート材の上下にはそれぞれ幅方向に延在したアジャスタ線が少なくとも１本形成されていることを特徴とする通気層確保部材。
【請求項２】
前記アジャスタ線は、前記シート材の上下いずれか一方に１本、他方に２本形成されている請求項１に記載の通気層確保部材。
【請求項３】
前記シート材は、少なくとも３本以上の垂木の下面に渡って張設される幅を有している請求項１または２に記載の通気層確保部材。
【請求項４】
前記通気層確保部材は、段ボールである請求項１ないし３のいずれかに記載の通気層確保部材。
【請求項５】
前記シート材には、幅方向または／および長さ方向に延在する折り畳み用線が形成されている請求項１ないし４のいずれかに記載の通気層確保部材。
【請求項６】
前記シート材には、垂木の延在位置を特定するための垂木位置特定用線が長さ方向に沿って形成されている請求項１ないし５のいずれかに記載の通気層確保部材。
【請求項７】
長さ方向に延在する前記折り畳み用線は、前記垂木位置特定用線と兼用するものである請求項６に記載の通気層確保部材。
【考案の詳細な説明】
【技術分野】
【０００１】
本考案は、野地板と断熱材との間に通気層を確保するための通気層確保部材に関するものである。
【背景技術】
【０００２】
従来より、遮熱や結露防止などを目的として、野地板と断熱材との間に通気層を形成する屋根通気工法が行われている。
この屋根通気工法としては、図７に示すように、上棟後に小屋裏から、野地板５０の下面に位置する垂木５１間に通気層確保部材６０をタッカー５２にて取り付け、さらに通気層確保部材６０の下面に断熱材５３を配する内張工法がある（例えば特許第３４００７６６号公報）。この内張工法は上棟後、断熱材を施工するまでに通気層確保部材６０を取り付ければよく日程に融通が利くと共に、天候にも左右されないというメリットがある。
【０００３】
他の屋根通気工法としては、図８に示すように、野地板５０を垂木５１に取り付ける前に、外側から垂木５１間に通気層確保部材６０をタッカー５２にて取り付け、さらに通気層確保部材６０の下面に断熱材５３を配する外張工法がある。この外張工法は上棟と同時に通気層確保部材６０の取り付けを済ませるため、工期短縮とコストダウンが期待できると共に、狭い小屋裏で仰ぎ見ながらの窮屈な作業を回避できるというメリットがある。
【先行技術文献】
【特許文献】
【０００４】
【特許文献１】特許第３４００７６６号公報
【考案の概要】
【考案が解決しようとする課題】
【０００５】
しかし、上記いずれの工法も、図９に示すように、垂木５１間でかつ母屋５４間毎に多数の通気層確保部材６０を取り付けるものであり作業が煩雑で時間を要するものであった。他方、取り付け部のピッチや屋根勾配などに応じて長さを調整できる汎用的な通気層確保部材が嘱望されていた。
【０００６】
そこで、本考案の課題は、より少数の通気層確保部材の取り付けで通気層をより容易に形成できるとともに、取り付け部のピッチや屋根勾配などに応じて長さを調整することができる汎用的な通気層確保部材を提供することにある。
【課題を解決するための手段】
【０００７】
上記課題を解決するものは、垂木の下面でかつ母屋間に張設されるシート材であって、該シート材の上下にはそれぞれ幅方向に延在したアジャスタ線が少なくとも１本形成されていることを特徴とする通気層確保部材である。
【０００８】
前記アジャスタ線は、前記シート材の上下いずれか一方に１本、他方に２本形成されていることが好ましい。前記シート材は少なくとも３本以上の垂木の下面に渡って張設される幅を有していることが好ましい。前記通気層確保部材は段ボールであることが好ましい。前記シート材には、幅方向または／および長さ方向に延在する折り畳み用線が形成されていることが好ましい。前記シート材には、垂木の延在位置を特定するための垂木位置特定用線が長さ方向に沿って形成されていることが好ましい。長さ方向に延在する前記折り畳み用線は、前記垂木位置特定用線と兼用するものであってもよい。
【考案の効果】
【０００９】
請求項１に記載した考案によれば、より少数の通気層確保部材の取り付けで通気層をより容易に形成できるとともに、取り付け部のピッチや屋根勾配などに応じて長さを調整することができる汎用的な通気層確保部材となる。
請求項２に記載した考案によれば、上記請求項１の効果に加え、屋根勾配に応じて長さをより微調整可能な通気層確保部材となる。
請求項３に記載した考案によれば、上記請求項１または２の効果に加え、より少数の通気層確保部材の取り付けで通気層をより容易に形成できる。
請求項４に記載した考案によれば、上記請求項１ないし３の効果に加え、取り扱い容易で、軽量、低廉かつ強度性に優れた通気層確保部材を構成できる。
請求項５に記載した考案によれば、上記請求項１ないし４の効果に加え、大型化したシート材をコンパンクトに折り畳んで搬送することができる。
請求項６に記載した考案によれば、上記請求項１ないし５の効果に加え、シート材に被覆される垂木の位置を特定でき、取り付け作業をより容易かつ確実に行うことができる。
請求項７に記載した考案によれば、上記請求項１ないし６の効果に加え、折り畳み用線と垂木位置特定用線とを混同することがない通気層確保部材となる。
【図面の簡単な説明】
【００１０】
【図１】本考案の通気層確保部材の一実施例の平面図である。
【図２】図１に示した通気層確保部材の使用方法を説明するための斜視図である。
【図３】図１に示した通気層確保部材の使用方法を説明するための説明図である。
【図４】図１に示した通気層確保部材の使用方法を説明するための説明図である。
【図５】本考案の通気層確保部材の他の実施例の平面図である。
【図６】本考案の通気層確保部材の他の実施例の平面図である。
【図７】従来の通気層確保部材を説明するための説明図である。
【図８】従来の通気層確保部材を説明するための説明図である。
【図９】従来の通気層確保部材を説明するための説明図である。
【考案を実施するための形態】
【００１１】
本考案は、垂木５１の下面でかつ母屋５４間に張設されるシート材２であって、シート材２の上下にはそれぞれ幅方向に延在したアジャスタ線３が少なくとも１本形成されていることで、より少数の通気層確保部材の取り付けで通気層をより容易に形成できるとともに、取り付け部のピッチや屋根勾配などに応じて長さを調整することができる汎用的な通気層確保部材１を実現した。
【実施例１】
【００１２】
本考案の通気層確保部材を図１ないし図４に示した一実施例を用いて説明する。
この実施例の通気層確保部材１は、図１または図２に示すように、垂木の下面でかつ母屋間に張設されるシート材２であって、シート材２の上部には一本のアジャスタ線３が幅方向に延在して設けられており、シート材２の下部には二本のアジャスタ線３が幅方向に延在して設けられている。以下、各構成について順次詳述する。
【００１３】
この実施例の通気層確保部材１は、段ボール紙にて形成されており、図１に示すように平面視矩形に形成されている。本考案の通気層確保部材が段ボール紙にて形成されることにより、取り扱いが容易で、軽量、低廉かつ強度性に優れた通気層確保部材を構成できる。
【００１４】
なお、この実施例の通気層確保部材１は段ボール紙にて形成されているが、これに限定されるものではなく、プラスチック製段ボールにて形成されたものも本考案の範疇に包含される。また、本考案の通気層確保部材は段ボールにて形成されたものに限定されるものではなく、例えば厚紙、段ボール以外の板紙、木質系材料、金属材料または樹脂材料（ＰＥＴ製不織布）などにて形成されたものも広く本考案の範疇に包含される。
【００１５】
通気層確保部材１は、内張工法で取り付けられるものであり、図２に示すように、垂木５１の下面でかつ母屋５４間に張設される。この実施例では、一枚の通気層確保部材１が３本の垂木５１の下面に渡って張設されるため、垂木５１間に取り付けられる従来の通気層確保部材に比してより少数の通気層確保部材１の取り付けで通気層をより容易に形成できる。
【００１６】
具体的には、この実施例の通気層確保部材１は３本の垂木５１の下面に渡って張設されることで、従来の２倍の範囲の取り付けが一枚の通気層確保部材で可能となる。ただし、これに限定されるものではなく、例えば４本の垂木５１の下面に渡って張設される幅（垂木間方向の長さ）を有するように形成すれば、従来の３倍の範囲の取り付けを一枚の通気層確保部材にて行うこができ、５本の垂木５１の下面に渡って張設される幅を有するように形成すれば、従来の４倍の範囲の取り付けが一枚の通気層確保部材にて可能となる。このように、本考案によれば、通気層確保部材の幅を大きくすることで、より少数の通気層確保部材の取り付けで通気層をより容易に形成することができる。
【００１７】
アジャスタ線３は、取り付けに際して長さ（母屋間方向の長さ）を調整するためにシート材２の幅方向に沿って形成された線（具体的にはプレスにて圧縮されて形成された線）であり、長さを調整する場合にはアジャスタ線３に沿って折り曲げられて長さ調整がされる。本考案は、シート材２の上下にそれぞれ幅方向に延在したアジャスタ線３が少なくとも１本形成されたものを広く包含するものであるが、この実施例では、シート材２の上部に一本のアジャスタ線３が幅方向に延在して設けられ、シート材２の下部に二本のアジャスタ線３が幅方向に延在して設けられている。
【００１８】
そして、屋根勾配が４．５寸勾配の時は、例えば図３に示すように、上部のアジャスタ線３では折り曲げることなく上端辺部を上方の母屋５４に押し当る一方、下部の２本のアジャスタ線３にてシート材２をそれぞれ内側に折り曲げ下方の母屋５４の側面に面当接させてタッカー５２にて固定すると共に、垂木５１に対しても上下２カ所をタッカー５２にて固定して通気層確保部材１を取り付ける。他方、屋根勾配が３．０寸勾配の時は、例えば図４に示すように、上部のアジャスタ線３で内側に折り曲げて上方の母屋５４に面当接させタッカー５２にて固定する、或いは上部のアジャスタ線３にて切除して上部を垂木５１にタッカー５２にて固定する一方、下部の２本のアジャスタ線３の内、下方のアジャスタ線３にてシート材２を内側に折り曲げて下方の母屋５４の側面に面当接させてタッカー５２にて固定すると共に、垂木５１に対しても上下２カ所をタッカー５２にて固定して通気層確保部材１を取り付ける。このように、アジャスタ線３における折り曲げの是非等を適宜選択することにより、屋根勾配に応じて長さをより微調整でき汎用的に使用可能な通気層確保部材を構成できる。
【００１９】
つぎに、図５に示した通気層確保部材１０について説明する。
この実施例の通気層確保部材１０と、前述した通気層確保部材１との相違は、シート材２に幅方向および長さ方向に延在する折り畳み用線４が形成されている点であり、他は同様である。通気層確保部材１と同一構成部分については同一符号を付し説明を省略する。
【００２０】
具体的には、通気層確保部材１０には、通気層確保部材１０を略均等に４分割することができる折り畳み用線（具体的にはプレスにて圧縮されて形成された線）４が幅方向および長さ方向に延在して設けられており、これらの折り畳み用線４に沿って折り畳み容易に構成されている。そして、これにより、大型化したシート材２をコンパンクトに折り畳んで搬送することができるように構成されている。
【００２１】
なお、この通気層確保部材１０は、幅方向および長さ方向に各一本の折り畳み用線４が設けられているが、これに限定されるものでは、幅方向または／および長さ方向に延在する折り畳み用線４が形成されたものは広く本考案の範疇に包含されるものであり、例えば、幅方向のみ、長さ方向のみに折り畳み用線が形成されたものや幅方向または長さ方向に複数の折り畳み用線が形成されたものも本考案に広く包含される。
【００２２】
さらに、図６に示した通気層確保部材２０について説明する。
この実施例の通気層確保部材２０と、前述した通気層確保部材１との相違は、シート材２に垂木の延在位置を特定するための垂木位置特定用線５が長さ方向に沿って形成されている点であり、他は同様である。通気層確保部材１と同一構成部分については同一符号を付し説明を省略する。
【００２３】
具体的には、通気層確保部材２０のシート材２には、垂木５１の延在位置に特定するための垂木位置特定用線５が長さ方向に沿って２本形成されている。これより、シート材２に被覆される垂木５１の位置を特定でき、垂木位置特定用線５に沿って例えばタッカー５２を打つことにより取り付け作業をより容易かつ確実に行うことができる。なお、通気層確保部材１０に説明した折り畳み用線のうち、長さ方向に延在する折り畳み用線は、垂木位置特定用線と兼用するものであってもよい。これにより、折り畳み用線と垂木位置特定用線とを混同することがなく、折り畳み用線に沿って例えばタッカー５２を打って取り付けることを回避できる。
【符号の説明】
【００２４】
１        通気層確保部材
２        シート材
３        アジャスタ線
４        折り畳み用線
５        垂木位置特定用線
【図１】
0003185688.tif 000003
【図２】
0003185688.tif 000004
【図３】
0003185688.tif 000005
【図４】
0003185688.tif 000006
【図５】
0003185688.tif 000007
【図６】
0003185688.tif 000008
【図７】
0003185688.tif 000009
【図８】
0003185688.tif 000010
【図９】
0003185688.tif 000011